(57)【要約】【課題】  簡易且つ低コストな構成で、ハンダ付け装置が備える部材にハンダの不純物が付着することを防止し、装置の高寿命化を図ることができるハンダ付け方法、及びハンダ付け装置を提供する。【解決手段】  吸い込み側の気体を吸い込み通過させる吸引ファン５２および吸引ファン５０を通過する気体に含まれる粒子を吸着するフィルター５１からなる気体浄化装置としてのフィルター装置５０をコテ先部３１の上方に設け、ハンダ付けを行う際には、フィルター装置５０を作動させる。【選択図】  図４
2006281277.tif 000002
【特許請求の範囲】
【請求項１】
ハンダ付け用コテ部材のコテ先部を加熱し、
該コテ先部のハンダ供給面にハンダを供給することにより、該ハンダ供給面に隣接するハンダ付け箇所をハンダ付けするハンダ付け方法において、
下方の気体を吸い込んで通過させ上方に排出する吸引ファンと、該吸引ファンを通過する気体に含まれる粒子を吸着するフィルターとから構成される気体浄化装置を該コテ先部の上方に設け、該気体浄化装置を作動させながらハンダ付けを行うことを特徴とするハンダ付け方法。
【請求項２】
ハンダ供給面が形成されたコテ先部を有するハンダ付け用コテ部材と、
該コテ先部を加熱する加熱手段と、該コテ先部のハンダ供給面にハンダを供給するハンダ供給手段とを備えたハンダ付け装置において、
下方の気体を吸い込んで通過させ上方に排出する吸引ファンと、該吸引ファンを通過する気体に含まれる粒子を吸着するフィルターとから構成される気体浄化装置を該コテ先部の上方に有することを特徴とするハンダ付け装置。
【請求項３】
請求項２のハンダ付け装置において、
上記コテ先部の位置を移動させるコテ先部移動部などの駆動部を該コテ先部よりも高い位置に備え、
上記気体浄化装置は駆動部よりも低い位置に設けたことを特徴とするハンダ付け装置。
【請求項４】
請求項２または３のハンダ付け装置において、
上記気体浄化装置を上記コテ先部の根元よりも高い位置に設けたことを特徴とするハンダ付け装置。
【発明の詳細な説明】
【技術分野】
【０００１】
本発明は、電子部品やコネクタ等の部品が取り付けられた基板等のハンダ付け対象物のハンダ付け箇所に対してハンダ付けを行うハンダ付け方法及びその装置に関するものである。
【背景技術】
【０００２】
従来、この種のハンダ付け装置として、コテ先部に一つのハンダ供給面を有するハンダ付け用コテ部材と、該コテ先部のハンダ供給面に糸状のハンダを供給するハンダ供給手段とを備えた自動ハンダ付け装置（ハンダ付けロボット）が知られている。この装置において、ハンダ付け用コテ部材のコテ先部が加熱され、ハンダ供給手段により該コテ先部のハンダ供給面にハンダが供給されると、該ハンダ供給面上でハンダが溶融して流下する。この流下した溶融ハンダが、該ハンダ供給面に隣接するハンダ付け箇所に到達することにより、該ハンダ付け箇所をハンダ付けすることができる。このようなハンダ付け装置としては特許文献１に記載されているものがある。
【０００３】
ハンダ付けを行う際にハンダを加熱し溶融させると、ハンダの中に含まれるフラックスなどの不純物を含有するする煙が発生する。この煙が上昇し、ハンダ付け装置の他の部材と接触すると、煙に含まれる不純物が付着し、この部材の寿命低下、ひいてはハンダ付け装置の寿命低下の原因となる。
【０００４】
このように、フラックスなどの不純物がハンダ付け装置の他の部材に付着することを防止できるものとして、特許文献２に記載のものがある。特許文献２では、ハンダ付け装置とは別に吸引ポンプを備えた煙浄化装置を設け、吸引ポンプに接続された吸引用チューブの気体を吸引する吸引部がハンダ付け装置のコテ先部の近傍に位置するように、吸引用チューブの先端部がコテ部材の保持部材に取り付けられている。吸引用チューブの吸引部にはフラックス等の不純物を吸着するフィルターが備えられており、吸引ポンプが発生させる負圧によって、ハンダ付けを行う際に発生する煙を吸引するものである。フラックス等の不純物を含んだ煙を吸引ポンプの負圧により吸引チューブの吸引部から吸引するため、ハンダ付けの際に発生する煙がハンダ付けロボットの他の部材に接触することなく、煙に含まれる不純物が他の部材に付着することを防止することが出来る。また、吸引チューブの吸引部に設けたフィルターにより、フラックス等の不純物が吸着されるため、吸引ポンプを備えた煙浄化装置の排気によって作業環境が汚染されることを防止することが出来る。
【０００５】
【特許文献１】特開２００２−１９２３４１号公報
【特許文献２】特開平９−３０８９６３号公報
【発明の開示】
【発明が解決しようとする課題】
【０００６】
しかしながら、特許文献２に記載の構成は、ハンダ付け装置とは別に煙浄化装置を用意し、この煙浄化装置からコテ先部の近傍まで吸引用チューブを伸ばす必要があるため、コストと手間がかかる。
【０００７】
本発明は、以上の問題に鑑みなされたものであり、その目的とするところは、簡易且つ低コストな構成で、ハンダ付け装置が備える部材にハンダの不純物が付着することを防止し、装置の高寿命化を図ることができるハンダ付け方法、及びハンダ付け装置を提供することである。
【課題を解決するための手段】
【０００８】
上記目的を達成するために、請求項１の発明は、ハンダ付け用コテ部材のコテ先部を加熱し、該コテ先部のハンダ供給面にハンダを供給することにより、該ハンダ供給面に隣接するハンダ付け箇所をハンダ付けするハンダ付け方法において、下方の気体を吸い込んで通過させ上方に排出する吸引ファンと、該吸引ファンを通過する気体に含まれる粒子を吸着するフィルターとを備えた気体浄化装置を該コテ先部の上方に設け、該気体浄化装置を作動させながらハンダ付けを行うことを特徴とするものである。
また、請求項２の発明は、ハンダ供給面が形成されたコテ先部を有するハンダ付け用コテ部材と、該コテ先部を加熱する加熱手段と、該コテ先部のハンダ供給面にハンダを供給するハンダ供給手段とを備えたハンダ付け装置において、下方の気体を吸い込んで通過させ上方に排出する吸引ファンと、該吸引ファンを通過する気体に含まれる粒子を吸着するフィルターとを備える気体浄化装置を該コテ先部の上方に有することを特徴とするものである。
また、請求項３の発明は、請求項２のハンダ付け装置において、上記コテ先部の位置を移動させるコテ先部移動部などの駆動部を該コテ先部よりも高い位置に備え、上記気体浄化装置は駆動部よりも低い位置に設けたことを特徴とするものである。
また、請求項４の発明は、請求項２または３のハンダ付け装置において、上記気体浄化装置を上記コテ先部の根元よりも高い位置に設けたことを特徴とするものである。
【０００９】
上記請求項１のハンダ付け方法においては、下方の気体を吸い込んで通過させ上方に排出する吸引ファンを備える気体浄化装置を、不純物を含有する煙が発生するコテ先部の上方に設け、これを作動させながらハンダ付けを行うため、気体浄化装置がコテ先部から上昇する煙を吸い込むことが出来る。そして、吸引ファンを通過する気体に含まれる粒子を吸着するフィルターを煙が通過するため、煙に含まれる不純物の除去を行うことが出来る。
また、上記請求項２乃至４のハンダ付け装置においては、下方の気体を吸い込んで通過させ上方に排出する吸引ファンを備える気体浄化装置を、不純物を含有する煙が発生するコテ先部の上方に設けているため、気体浄化装置によってコテ先部から上昇する煙を吸い込むことが出来る。また、気体浄化装置は吸引ファンを通過する気体に含まれる粒子を吸着するフィルターを備えているため、煙に含まれる不純物の除去を行うことができる。
そして、上記請求項１のハンダ付け方法で使用する気体浄化装置、および上記請求項２乃至４の気体浄化装置は、下方の気体を吸い込んで通過させ上方に排出する吸引ファンにより、上昇する煙をフィルターに通すために、吸気用チューブを必要とせず、この吸引ファンに該吸引ファンを通過する気体に含まれる粒子を吸着するフィルターを取り付けたものであるので簡易且つ低コストな構成である。
【発明の効果】
【００１０】
請求項１乃至４の発明によれば、吸引ファンとフィルターからなる、簡易且つ低コストな構成の気体浄化装置を用いてハンダを溶融させると生じる煙に含まれる不純物を除去することが出来、ハンダ付け装置が備える部材に不純物が付着することを防止し、ハンダ付け装置の高寿命化を図ることができるという優れた効果がある。
【発明を実施するための最良の形態】
【００１１】
以下、本発明を、ハンダ付けロボットに適用した実施形態について説明する。このハンダ付けロボットは、ハンダ付け対象物としての基板（ＰＣＢ）に対して自動的にハンダ付けするものである。
図１は本実施形態に係るハンダ付けロボットの概略構成を示す正面図である。このハンダ付けロボットは、上部に作業台１０１を有する装置本体１００と、装置本体１００の両側部に取り付けられたスタンド部材１０２とを備えている。さらに、スタンド部材１０２の上部において両スタンド部材間に架け渡すように取り付けられたＸ軸ガイド部材１０４と、Ｘ軸ガイド部材１０４に対してＸ軸方向（図中の左右方向）に移動可能に取り付けられたハンダ付けユニット１０とを備えている。
【００１２】
作業台１０１の中央部には、Ｙ軸方向（図中の前後方向）に延びた２本のガイドレール１０５が形成され、ガイドレール１０５に沿って可動ブラケット１０７がＹ軸方向に移動可能に取り付けられている。この可動ブラケット１０７上には作業テーブル１０９が取り付けられ、作業テーブル１０９に基板支持スタンド１１０を介してハンダ付け対象物としての基板２００が装着される。可動ブラケット１０７のＹ軸方向の駆動は、基板上のハンダ付け箇所に関する情報に基づいて後述の制御部で制御される。
この基板上のハンダ付け箇所に関する情報のデータは前もって実行されるデータ取り込み作業（ティーチング作業）で取得され、ハンダ付け時の各種パラメータ等のデータとともに、メモリーカードスロット１１３に挿入されているメモリカード１１２に記憶される。
【００１３】
ハンダ付けユニット１０は、ユニット本体１１と、ユニット本体１１の両側に取り付けられた１組のハンダ供給サブユニット２０とを備えている。また、ユニット本体１１から下方に延びた昇降スライド軸１２には、フィルター支持部材６０を介して取り付けられた気体浄化装置としてのフィルター装置５０と、中継部材１３や揺動アーム１４等を介して取り付けられたハンダ付けヘッド３０とを備えている。ユニット本体１１の背面側には図示しない可動ブラケットを有し、この可動ブラケットがＸ軸ガイド部材１０４側に形成されているガイドレール（不図示）にガイドされることにより、ハンダ付けユニット１０をＸ軸方向に移動させることができる。
【００１４】
ユニット本体１１から下方に延びた昇降スライド軸１２は、Ｚ軸方向（図中上下方向）に移動するように駆動制御するとともに、そのＺ軸方向の中心軸を中心として回転するように回転駆動することができるようになっている。この昇降スライド軸１２に連結された中継部材１３には、ハンダ付けヘッド３０の先端のコテ先部を所定の圧力で基板２００に押圧できるように、図示しないエア加圧機構が組み込まれている。また、中継部材１３に連結されている揺動アーム１４は、ハンダ付けヘッド３０を所定の角度に傾けて固定できるように構成されている。
【００１５】
ハンダ付けヘッド３０は、加熱手段としての不図示のヒータを内蔵するとともに先端部に平板状のコテ先部３１を有するハンダ付け用コテ部材であるコテ部材３２と、コテ部材３２の両側に固定アーム部材３３で固定された１組のハンダ供給ヘッド３４とを備えている。このハンダ供給ヘッド３４のコテ先部３１側の先端部には、ハンダガイド部材として、糸状のハンダ４０が通過できる中空構造のニードル部材３５を備えている。また、このハンダ供給ヘッド３４には、それぞれ独立にハンダ供給制御可能な２つのハンダ供給サブユニット２０からハンダ供給チューブ２１を介して、糸状のハンダ４０が供給される。
【００１６】
また、ハンダ供給ヘッド３４には、糸状のハンダ４０をニードル部材３５から吐出させる前に予備的に加熱する予備加熱手段としてのヒータを備えている。このように予備的に加熱することにより、フラックスの急激な温度上昇を抑え、ハンダ玉・フラックス飛散を防止することができる。
【００１７】
２つのハンダ供給サブユニット２０は、それぞれ送出ローラ対２２及びモータ（不図示）を有するハンダ供給装置２３と、糸状のハンダ４０を一定量巻き付けたハンダ収容部としてのハンダリール２４とを備えている。送出ローラ対２２は糸状のハンダ４０を挾持しながら回転することによりハンダ４０をハンダ供給チューブ２１側に送り出すものであり、ローラ対の一方のローラがモータで駆動される駆動ローラ、もう一方のローラが従動ローラとなっている。また、両ローラの間隔は糸状のハンダ４０を所定の圧力で挾持するように調整され、駆動ローラは糸状のハンダ４０を所定の速度で送出するとともに糸状のハンダの送出を選択的にオン／オフできるように回転制御される。
このハンダ供給サブユニット２０とハンダ供給チューブ２１と上記ハンダ供給ヘッド３４とにより、コテ部材３２のコテ先部３１にハンダを供給するハンダ供給手段が構成されている。
なお、ハンダ供給装置２３には、適宜、ハンダ切れを検知するセンサやハンダ詰まりを検知するセンサなどを設けてもよい。また、ハンダ供給装置２３は、送出ローラ対２２を用いたものに限定されるものではなく、他の機構で糸状のハンダを送出するように構成してもよい。
【００１８】
図２はコテ部材３２の先端部の拡大正面図である。コテ部材３２のコテ先部３１は平板状に形成され、基板２００に対するコテ先部３１の相対移動の方向に沿って延在する２つの外向きの露出側面にそれぞれハンダ供給面３１０を有している。この２つのハンダ供給面３１０のそれぞれに、ハンダ供給ヘッド３４のニードル部材３５の先端が近接して対向するように配置されている。ニードル部材３５の先端から吐出した糸状のハンダ４０は、ハンダ付けヘッド３０が備えるヒータによって加熱されたコテ先部３１のハンダ供給面３１０に接触して溶融する。溶融した糸状のハンダ４０は各ハンダ供給面に沿って重力で流下することにより、基板２００上のハンダ付け箇所から突出している突出部材であるリード２０１を覆うように供給される。
【００１９】
図３は、図２におけるコテ先部３１の先端部とコテ先部３１に近接する基板２００との拡大説明図である。
図３に示すように、コテ先部３１の幅であるコテ先幅Ｗ１はハンダ供給箇所の間隔であるリード２０１の間隔であるリード間隔Ｗ２よりも狭くなるように設定されている。このようにコテ先部３１のコテ先幅Ｗ１を設定することにより、コテ先部３１とリード２０１とを干渉させることなく、コテ先部３１のハンダ供給面で溶融したハンダ４０をリード２０１上に確実に流下させ、ハンダ付け箇所を確実にハンダ付けすることができる。
また、本実施形態のハンダ付けロボットではコテ先部３１の露出側面にある２つのハンダ供給面３１０でハンダを溶融し、ハンダ供給面３１０の外側に位置するリード２０１上に流下させている。これにより、両面実装基板のようにリード２０１の近傍に非ハンダ付け部品２０２があったとしても非ハンダ付け部品２０２とコテ先部３１とが干渉することがないため、ハンダ付け箇所を確実にハンダ付けすることができる。また、コテ先部３１が非ハンダ付け部品２０２に接触したりすることもないので、非ハンダ付け部品２０２の損傷を回避することができる。
【００２０】
図４は、コテ部材３２の先端部の拡大側面図であり、気体浄化装置であるフィルター装置５０の動作を説明する概略説明図である。
図４に示すようにコテ先部３１の先端面はコテ部材３２の中心軸に対して所定の角度で傾いた面に加工され、これにより、コテ部材３２を傾けて移動させる場合でもコテ先部３１の先端面と基板２００の面とがほぼ平行になって両者が確実に接するようにしている。このようにコテ部材３２を傾けることにより、コテ部材３２を基板２００上でスムーズに移動させることができるとともに、コテ部材３２の駆動負荷も低減させることができる。
【００２１】
なお、糸状のハンダ４０をコテ先部３１で加熱し溶融させると、ハンダの中に含まれるフラックスなどの不純物を含有するする煙４０ａが発生する。この煙が上昇し、他の部材と接触すると、煙４０ａに含まれる不純物が付着し、この部材の寿命低下、ひいてはハンダ付けロボット自体の寿命低下の原因となる。
特に、図１に示すように、コテ先移動部としてのＸ軸ガイド部材１０４及び昇降スライド軸１２、また、糸状のハンダ４０の供給量を調節するハンダ供給サブユニット２０等の駆動部がコテ先部３１の上方にある場合には、上昇した煙４０ａが駆動部に接触する。この駆動部のメカ部品にフラックスなどの不純物が粉となって付着すると、駆動のための摺擦部にこの粉が付着して頻繁な破損につながることがある。
【００２２】
このようなハンダを加熱することで発生する煙４０ａに起因する部材寿命の低下を軽減するために、本実施形態のハンダ付けロボットは、図４に示すようにコテ先部３１の上方、且つ、昇降スライド軸１２よりも低い位置に気体浄化装置としてのフィルター装置５０を備えている。
フィルター装置５０は、図中矢印Ａ方向に負圧を発生させ、下方の気体を吸い込んで通過させ上方に排出する吸引ファン５２と、吸引ファン５２を通過する気体に含まれる粒子を吸着するフィルター５１とから構成される。フィルター装置５０では、フィルター５１を吸い込み側である吸引ファン５２の下方に設けているため、煙４０ａに含まれる不純物が吸引ファン５２に付着することを防止でき、吸引ファン５２の高寿命化を図ることが出来る。  吸引ファン５２は、回転翼部５２ａと軸部５２ｂからなり、回転翼部５２ａを回転させるモーターを軸部５２ｂに内蔵されているファンモーターである。そして、吸引ファン５２を通過する気体は回転翼部５２ａの回転領域を通過する。本実施形態では吸引ファン５２として、山洋電気社製のファンモーター（商品名：１０９Ｐ０４１２Ｈ７０２）を用いた。
フィルター５１は吸い込み側である吸引ファン５２の下方に設け、煙に含まれるフラックスなどの不純物を吸着でき、且つ、吸引ファン５２の吸引に悪影響を及ぼさない程度の目の細かさのものを用いる。本実施形態ではフィルター５１として、オリエンタルモーター社製のプロペラファン用のフィルター（商品名：ＦＬ６）を用いた。
なお、フィルター５１が不純物を吸着し、目がつまり吸引ファン５２の吸引力が低下するとフィルター５１を交換することで吸引力を再生することが出来る。
このようにフィルター装置５０は市販のさほど効果でない部材を用いて作成することができるので低コストである。
さらに、ハンダ付け装置の本体にあわせたフィルター支持部材６０を設けることで、煙を浄化する手段を備えていないハンダ付け装置に気体浄化装置を装備させることが出来る。
また、フィルター装置５０は、コテ先部３１の上方で、且つ、下方から吸い込む形状であるので、コテ先部３１から上昇してくる煙４０ａを吸引し易く、側方から吸引するものに比して、小さい吸引力で煙４０ａの吸引を行うことが出来る。
【００２３】
ハンダ付けを行う際には、吸引ファン５２のモーターを作動させ、矢印Ａ方向の負圧を発生させる。ハンダ付けを行うことによって発生した煙４０ａは上昇して、吸引ファン５２の吸い込み側であるフィルター５１周辺に達する。フィルター５１周辺に達した煙４０ａは、吸引ファン５２による矢印Ａ方向の負圧によってフィルター装置５０に吸引される。フィルター装置５０に吸引された煙４０ａはフィルター５１と吸引ファン５２とを通過して吸引ファン５２の裏側から排出される。フィルター５１を通過することによって、フラックス等の不純物の粒子がフィルター５１に吸着され、吸引ファン５２の排出側にある部材に不純物が付着することを防止することが出来る。
特に、本実施形態ではＸ軸ガイド部材１０４、昇降スライド軸１２などの駆動部のうち、もっとも下方にある昇降スライド軸１２よりも下方に、フィルター装置５０を設けているので駆動部における頻繁な破損を防止することができる。
【００２４】
また、特許文献２のように、煙を吸引する装置の吸引部を加熱されるコテ先部３１の近傍に設けると、ハンダ付け箇所の周辺の空気が吸引され、空気の流れが発生する。ハンダ付け箇所の周辺に空気の流れが発生すると、溶融したハンダを冷却する状態となるため、加熱時のハンダの温度が変化してハンダ付けの品質の低下につながるおそれがある。
一方、本実施形態の吸引部はフィルター装置５０本体の下面であり、フィルター装置５０はコテ先部３１の根元よりも高い位置に設置しているので、吸引部もコテ先部３１の根元よりも高い位置である。吸引部とハンダ付け箇所とがある程度離れているため、吸引ファン５２の吸引に起因するハンダ付け箇所の周辺の空気の流れは弱い。よって、本実施形態では、煙の吸引に起因するハンダ品質の低下を防止することが出来る。
なお、本実施形態ではコテ先部３１の先端部から１３０［ｍｍ］上方にフィルター装置５０を設置している。
【００２５】
また、フィルター装置５０は、フィルター５１の周辺の煙４０ａをより確実に吸引するために、煙誘導壁５３を備えている。この煙誘導壁５３は、斜めに設置したフィルター装置５０の筐体の上方側壁５０ａを延長した位置に設けられて上方煙誘導壁５３ａと、フィルター装置５０の筐体の２つの側方側壁（不図示）を延長した位置に設けられた側方煙誘導壁５３ｂとからなる。フィルター５１の周辺の空間の上方と両側方とを囲うように煙誘導壁５３を設けているため、より確実に、且つより効率よく煙４０ａの吸引を行うことが出来る。
【００２６】
以上、本実施形態によれば、コテ先部３１の上方に気体浄化装置であるフィルター装置５０を設け、ハンダ付けを行う際には、フィルター装置５０を作動させる。フィルター装置５０は下方の気体を吸い込んで通過させ、上方に排出する吸引ファン５２を備えているので、ハンダ付けを行う際に、ハンダを溶融することで発生し、上昇する煙４０ａをフィルター装置５０に吸引することが出来る。また、フィルター装置５０を作動させると、吸引ファン５２を通過する気体に含まれる粒子を吸着するフィルター５１を煙が通過するため、に含有されるフラックスなどの不純物を除去することが出来、ハンダ付け装置の高寿命化を図ることが出来る。さらに、フィルター装置５０は、市販の吸引ファン５２およびフィルター５１を用いて作成することができるので、簡易且つ低コストな構成である。
また、図１に示すように、Ｘ軸ガイド部材１０４及び昇降スライド軸１２、ハンダ供給サブユニット２０等の駆動部がコテ先部３１の上方にあるハンダ付け装置で、駆動部よりも下方にフィルター装置５０を設けることで、フラックスなどが付着することで破損が生じやすい駆動部にフラックスが付着することを防止し、駆動部の頻繁な破損を防止することが出来る。
また、フィルター装置５０をコテ先部３１の根元よりも高い位置に設けることで、フィルター装置５０の吸引が、ハンダ付け箇所の周辺の空気の流れに与える影響を少なくし、溶融したハンダの冷却をおさえることができるので、品質の安定したハンダ付けを行うことが出来る。
【図面の簡単な説明】
【００２７】
【図１】実施形態に係るハンダ付け装置の概略構成を示す正面図。
【図２】同ハンダ付け装置におけるコテ部材の先端部の拡大正面図。
【図３】同コテ部材のコテ先部およびハンダ付け箇所の拡大図。
【図４】フィルター装置の概略説明図。
【符号の説明】
【００２８】
１０    ハンダ付けユニット
１１    ユニット本体
１２    昇降スライド軸
１３    中継部材
１４    揺動アーム
２０    ハンダ供給サブユニット
２１    ハンダ供給チューブ
２２    送出ローラ対
２３    ハンダ供給装置
２４    ハンダリール
３０    ハンダ付けヘッド
３１    コテ先部
３２    コテ部材
３３    固定アーム部材
３４    ハンダ供給ヘッド
３５    ニードル部材
４０    ハンダ
５０    フィルター装置
５０ａ  上方側壁
５１    フィルター
５２    吸引ファン
５２ａ  回転翼部
５２ｂ  軸部
５３    煙誘導壁
５３ａ  上方煙誘導壁
５３ｂ  側方煙誘導壁
１００  装置本体
１０１  作業台
１０２  スタンド部材
１０４  Ｘ軸ガイド部材
１１２  メモリカード
１１３  メモリーカードスロット
２００  基板
２０１  リード
２０２  非ハンダ付け部品
３１０  ハンダ供給面
【図１】
2006281277.tif 000003
【図２】
2006281277.tif 000004
【図３】
2006281277.tif 000005
【図４】
2006281277.tif 000006